(57)【要約】【課題】従来の情報処理システムにおいては、ユーザの好み等に応じて、通信手段の利用制御ができない、という課題があった。【解決手段】出力する情報を取捨選択するための情報であるプロファイル情報を格納しているプロファイル情報格納部と、第一サーバ装置から、近距離無線通信手段により、第一情報を受信する第一情報近距離受信部と、第一情報に関連する情報である第二情報を出力するか否かを、プロファイル情報に基づいて判断する判断部と、第二サーバ装置から第二情報を受信する第二情報受信部と、第一情報受信部が受信した情報を出力する第一情報出力部と、判断部における判断結果が第二情報を出力する旨の判断結果である場合に、第二情報受信部が受信した第二情報を出力する第二情報出力部を具備する端末装置により、ユーザの好み等に応じて、通信手段の利用制御ができる。【選択図】図２
2006277175.tif 000002
【特許請求の範囲】
【請求項１】
端末装置と、第一サーバ装置と、第二サーバ装置を具備する情報処理システムであって、
前記端末装置は、
出力する情報を取捨選択するための情報であるプロファイル情報を格納しているプロファイル情報格納部と、
前記第一サーバ装置から、近距離無線通信手段により、第一情報を受信する第一情報近距離受信部と、
前記第一情報に関連する情報である第二情報を出力するか否かを、前記プロファイル情報に基づいて判断する判断部と、
前記第二サーバ装置から前記第二情報を受信する第二情報受信部と、
前記第一情報受信部が受信した情報を出力する第一情報出力部と、
前記判断部における判断結果が第二情報を出力する旨の判断結果である場合に、前記第二情報受信部が受信した前記第二情報を出力する第二情報出力部を具備し、
前記第一サーバ装置は、
第一情報を格納している第一情報格納部と、
近距離無線通信手段により、前記第一情報を送信する第一情報近距離送信部を具備し、
前記第二サーバ装置は、
第二情報を格納している第二情報格納部と、
前記第二情報を前記端末装置に送信する第二情報送信部を具備する情報処理システム。
【請求項２】
前記第一情報は、
前記第二情報の所在場所を示す情報である所在場所情報を含み、
前記第一情報出力部は、
前記判断部における判断結果が第二情報を出力する旨の判断結果である場合にのみ、前記所在場所情報を出力する請求項１記載の情報処理システム。
【請求項３】
前記端末装置は、
ユーザの指示を受け付ける指示受付部をさらに具備し、
前記指示受付部が前記指示を受け付けた場合に、
前記第二情報受信部は、前記第二サーバ装置から前記第二情報を取得する処理を行い、当該第二情報を受信する請求項１または請求項２記載の情報処理システム。
【請求項４】
前記判断部は、
第一情報を出力するか否かをも、前記プロファイル情報に基づいて判断し、
前記第一情報出力部は、
前記判断部における判断結果が第一情報を出力する旨の判断結果である場合にのみ、前記第一情報を出力する請求項１から請求項３いずれか記載の情報処理システム。
【請求項５】
近距離無線通信手段により、第一情報を受信し、当該第一情報に関連する第二情報を出力するか否かを、格納しているプロファイル情報に基づいて、判断し、当該判断に基づいて、第二情報を第二サーバ装置から取得して、出力する端末装置。
【請求項６】
請求項１から請求項４いずれか記載の情報処理システムを構成する端末装置。
【請求項７】
請求項１から請求項４いずれか記載の情報処理システムを構成する第一サーバ装置。
【請求項８】
請求項１から請求項４いずれか記載の情報処理システムを構成する第二サーバ装置。
【請求項９】
コンピュータに、
第一サーバ装置から、近距離無線通信手段により、第一情報を受信する第一情報近距離受信ステップと、
前記第一情報に関連する情報である第二情報を出力するか否かを、格納しているプロファイル情報に基づいて判断する判断ステップと、
第二サーバ装置から前記第二情報を受信する第二情報受信ステップと、
前記第一情報受信ステップで受信した情報を出力する第一情報出力ステップと、
前記判断ステップにおける判断結果が第二情報を出力する旨の判断結果である場合に、前記第二情報受信ステップで受信した前記第二情報を出力する第二情報出力ステップを実行させるためのプログラム。
【請求項１０】
前記第一情報は、
前記第二情報の所在場所を示す情報である所在場所情報を含み、
前記第一情報出力ステップにおいて、
前記判断ステップにおける判断結果が第二情報を出力する旨の判断結果である場合にのみ、前記所在場所情報を出力する請求項９記載のプログラム。
【請求項１１】
コンピュータに、
ユーザの指示を受け付ける指示受付ステップをさらに実行させ、
前記指示受付ステップで前記指示を受け付けた場合に、
前記第二情報受信ステップにおいて、前記第二サーバ装置から前記第二情報を取得する処理を行い、当該第二情報を受信する請求項９または請求項１０記載のプログラム。
【請求項１２】
前記判断ステップにおいて、
第一情報を出力するか否かをも、前記プロファイル情報に基づいて判断し、
前記第一情報出力ステップにおいて、
前記判断ステップにおける判断結果が第一情報を出力する旨の判断結果である場合にのみ、前記第一情報を出力する請求項９から請求項１１いずれか記載のプログラム。
【請求項１３】
第一サーバ装置から、近距離無線通信手段により、第一情報を受信する第一情報近距離受信ステップと、
前記第一情報に関連する情報である第二情報を出力するか否かを、格納しているプロファイル情報に基づいて判断する判断ステップと、
第二サーバ装置から前記第二情報を受信する第二情報受信ステップと、
前記第一情報受信ステップで受信した情報を出力する第一情報出力ステップと、
前記判断ステップにおける判断結果が第二情報を出力する旨の判断結果である場合に、前記第二情報受信ステップで受信した前記第二情報を出力する第二情報出力ステップを具備する情報処理方法。
【発明の詳細な説明】
【技術分野】
【０００１】
本発明は、移動体端末が情報を取得できる情報処理システム等に関するものである。
【背景技術】
【０００２】
従来の第一情報処理システムにおいて、ある店舗などに設置されたデータ送受信機能を持つ店舗サーバからＢｌｕｅｔｏｏｔｈなどによるワイヤレス通信手段によって送信されるＵＲＬを含む情報を、前記店舗サーバとのデータ通信機能を持つ携帯端末が受信して記録することによって、前記携帯端末を携帯するユーザが前記店舗の情報を容易に取得できるようにできる。さらに、従来の第一情報処理システムにおいて、記録したＵＲＬのＷｅｂページにインターネットを介してアクセスして、前記店舗の詳しい商品情報を取得したり、或いはネットショッピングを行うことができる（例えば、特許文献１参照）。
【０００３】
また、従来の第二情報処理システムにおいて、広告ブロードキャスト・システム若しくは発信元からブロードキャスト広告を受信し、記録されたユーザ・プロファイル若しくは承認データに基づいて広告を選択することによって、通信装置によってフィルタリングされた広告のブロードキャストを実現する。
【特許文献１】特開２００３−９９６６１号公報（第１頁、第１図等）
【特許文献２】特開２００２−３２５０６９号公報（第１頁、第１図等）
【発明の開示】
【発明が解決しようとする課題】
【０００４】
しかしながら、従来の第一情報処理システムにおいては、ユーザの好み等に応じて、第二の通信手段を利用して情報を取得したり、しなかったりという通信手段の利用制御ができないために、２種類以上の通信手段の特性を利用した有効な情報取得ができなかった、という課題があった。
【０００５】
また、従来の第二情報処理システムにおいては、ユーザの好み等に応じて、情報をフィルタリングするだけであり、従来の第一情報処理システムと同様、ユーザの好みに応じて、第二の通信手段を利用して情報を取得したり、しなかったりという通信手段の利用制御ができなかった。
【課題を解決するための手段】
【０００６】
本第一の発明の情報処理システムは、端末装置と、第一サーバ装置と、第二サーバ装置を具備する情報処理システムであって、前記端末装置は、出力する情報を取捨選択するための情報であるプロファイル情報を格納しているプロファイル情報格納部と、前記第一サーバ装置から、近距離無線通信手段により、第一情報を受信する第一情報近距離受信部と、前記第一情報に関連する情報である第二情報を出力するか否かを、前記プロファイル情報に基づいて判断する判断部と、前記第二サーバ装置から前記第二情報を受信する第二情報受信部と、前記第一情報受信部が受信した情報を出力する第一情報出力部と、前記判断部における判断結果が第二情報を出力する旨の判断結果である場合に、前記第二情報受信部が受信した前記第二情報を出力する第二情報出力部を具備し、前記第一サーバ装置は、第一情報を格納している第一情報格納部と、近距離無線通信手段により、前記第一情報を送信する第一情報近距離送信部を具備し、前記第二サーバ装置は、第二情報を格納している第二情報格納部と、前記第二情報を前記端末装置に送信する第二情報送信部を具備する情報処理システムである。なお、第二情報受信部は、近距離無線通信手段ではない、たとえば、インターネット経由で、ブロードバンドを用いて、第二サーバ装置から第二情報を受信する。
かかる構成により、ユーザの好み等に応じて、２種類以上の通信手段の特性を利用した有効な情報取得ができる。
【０００７】
また、本第二の発明の情報処理システムは、第一の発明に対して、前記第一情報は、前記第二情報の所在場所を示す情報である所在場所情報を含み、前記第一情報出力部は、前記判断部における判断結果が第二情報を出力する旨の判断結果である場合にのみ、前記所在場所情報を出力する情報処理システムである。
かかる構成により、ユーザの好み等に応じて、２種類以上の通信手段の特性を利用した有効な情報取得ができる。
【０００８】
また、本第三の発明の情報処理システムは、第一、第二いずれかの発明に対して、前記端末装置は、ユーザの指示を受け付ける指示受付部をさらに具備し、前記指示受付部が前記指示を受け付けた場合に、前記第二情報受信部は、前記第二サーバ装置から前記第二情報を取得する処理を行い、当該第二情報を受信する情報処理システムである。
かかる構成により、ユーザの好み等に応じて、２種類以上の通信手段の特性を利用した有効な情報取得ができる。
【０００９】
また、本第四の発明の情報処理システムは、第一から第三いずれかの発明に対して、前記判断部は、第一情報を出力するか否かをも、前記プロファイル情報に基づいて判断し、前記第一情報出力部は、前記判断部における判断結果が第一情報を出力する旨の判断結果である場合にのみ、前記第一情報を出力する情報処理システムである。
かかる構成により、ユーザの好み等に応じて、２種類以上の通信手段の特性を利用した有効な情報取得ができる。
【発明の効果】
【００１０】
本発明による情報処理システムによれば、プロファイル情報に応じて、第二の通信手段を利用して情報を取得したり、しなかったりという通信手段の利用制御ができる。
【発明を実施するための最良の形態】
【００１１】
以下、情報処理システム等の実施形態について図面を参照して説明する。なお、実施の形態において同じ符号を付した構成要素は同様の動作を行うので、再度の説明を省略する場合がある。
（実施の形態１）
【００１２】
図１は、本実施の形態における情報処理システムの概念図である。本情報処理システムは、一の端末装置１１と、一の第一サーバ装置１２と、1以上の第二サーバ装置１３（１３（１）、１３（２）、１３（３）、・・・１３（ｎ））を具備する。端末装置１１と第一サーバ装置１２は、近距離無線通信手段により情報の送受信が行える程度に、近くに存在する。端末装置１１と第二サーバ装置１３は、遠くの場所に存在しても良い。端末装置１１は、近距離無線通信手段（第一の通信手段）により第一サーバ装置１２から第一情報を受信する。また、端末装置１１は、場合によって、第二サーバ装置１３から第二の通信手段を用いて、第二情報を取得する。第二情報は、第一情報に関連する情報である。また、第二の通信手段は、第一の通信手段とは異なる。第一の通信手段は、例えば、バンド幅が小さい、低速の近距離無線通信手段である。また、第二の通信手段は、バンド幅が大きい、高速の通信手段である。図１において、第一サーバ装置１２と、第二サーバ装置１３は、インターネットに繋がっているが、必ずしもインターネットに繋がっている必要はない。
【００１３】
図２は、本実施の形態における情報処理システムのブロック図である。本情報処理システムは、端末装置１１と、第一サーバ装置１２と、１以上の第二サーバ装置１３を具備する。端末装置１１は、プロファイル情報格納部１１０１、指示受付部１１０２、第一情報近距離受信部１１０３、判断部１１０４、第二情報受信部１１０５、第一情報出力部１１０６、第二情報出力部１１０７を具備する。
第一サーバ装置１２は、第一情報格納部１２０１、第一情報近距離送信部１２０２を具備する。
第二サーバ装置１３は、第二情報格納部１３０１、第二情報送信部１３０２を具備する。
【００１４】
プロファイル情報格納部１１０１は、出力する情報を取捨選択するための情報であるプロファイル情報を格納している。プロファイル情報とは、個人の嗜好、趣味などを示す情報である。プロファイル情報は、例えば、１以上のキーワードである。ただし、プロファイル情報のデータ形式等は問わない。また、プロファイル情報が示す意味は問わない。プロファイル情報は、出力する情報を取捨選択するための情報であれば良い。プロファイル情報格納部１１０１は、不揮発性の記録媒体でも、揮発性の記録媒体でも良い。
【００１５】
指示受付部１１０２は、ユーザの指示を受け付ける。かかる指示は、例えば、第二情報を取得する指示である。指示の入力手段は、テンキーやキーボードやマウスやメニュー画面によるもの等、何でも良い。指示受付部１１０２は、テンキーやキーボード等の入力手段のデバイスドライバーや、メニュー画面の制御ソフトウェア等で実現され得る。
【００１６】
第一情報近距離受信部１１０３は、第一サーバ装置１２から、近距離無線通信手段により、第一情報を受信する。第一情報は、第二情報の所在場所を示す情報である所在場所情報を含んでも良い。所在場所情報とは、例えば、ＵＲＬ、ＵＲＩ、ＩＰアドレスなどの情報である。第一情報近距離受信部１１０３は、ブルートゥース（登録商標）や、無線タグによる通信手段や、赤外線による通信手段や、ＵＷＢ（Ｕｌｔｒａ  Ｗｉｄｅ  Ｂａｎｄ）、その他の近距離無線通信手段により実現され得る。
【００１７】
判断部１１０４は、第一情報に関連する情報である第二情報を出力するか否かを、プロファイル情報格納部１１０１に格納されているプロファイル情報に基づいて判断する。判断部１１０４は、第一情報を出力するか否かをも、プロファイル情報に基づいて判断することは好適である。第二情報は、例えば、第一情報の一部または全部の情報を、さらに詳細に説明する情報である。ただし、第二情報は、第一情報に何らか関係している情報であれば良い。第一情報は、例えば、テレビ番組のタイトル、放送時間帯等の情報であり、第二情報は、当該テレビ番組の出演者や番組内容に関する情報である。また、第一情報は、例えば、地名であり、第二情報は、当該地名の説明（位置、名産、当該地にあるホテル、旅館などの説明）などである。判断部１１０４は、通常、ＭＰＵやメモリ等から実現され得る。判断部１１０４の処理手順は、通常、ソフトウェアで実現され、当該ソフトウェアはＲＯＭ等の記録媒体に記録されている。但し、ハードウェア（専用回路）で実現しても良い。
【００１８】
第二情報受信部１１０５は、第二サーバ装置１３から第二情報を受信する。第二情報受信部１１０５は、指示受付部１１０２が指示を受け付けた場合に、第二サーバ装置１３から第二情報を取得する処理を行い、当該第二情報を受信することは好適である。第二情報受信部１１０５は、例えば、指示受付部１１０２がＵＲＬの押下指示を受け付けた場合に、当該ＵＲＬに対応するページを取得する。ＵＲＬの押下指示とは、画面に表示され、指示可能なＵＲＬに対して「決定」ボタンを押下することである。なお、第二情報受信部１１０５は、所定の条件を満たす場合に、自動的に第二サーバ装置１３から第二情報を受信することは好適である。第二情報受信部１１０５は、通常、無線または有線の通信手段で実現されるが、放送を受信する手段で実現されても良い。第二情報受信部１１０５を実現する第二の通信手段は、第一情報近距離送信部１２０２を実現する第一の通信手段とは、異なる。第二情報受信部１１０５を実現する第二の通信手段は、通常、遠距離の通信手段である。
【００１９】
第一情報出力部１１０６は、第一情報近距離受信部１１０３が受信した情報を出力する。第一情報出力部１１０６は、判断部１１０４における判断結果が第二情報を出力する旨の判断結果である場合にのみ、第一情報が有する所在場所情報を出力することは好適である。また、第一情報出力部１１０６は、判断部１１０４における判断結果が第一情報を出力する旨の判断結果である場合にのみ、第一情報を出力することは好適である。ここで、出力とは、ディスプレイへの表示、プリンタへの印字、音出力、外部の装置への送信等を含む概念である。第一情報出力部１１０６は、ディスプレイやスピーカー等の出力デバイスを含むと考えても含まないと考えても良い。第一情報出力部１１０６は、出力デバイスのドライバーソフトまたは、出力デバイスのドライバーソフトと出力デバイス等で実現され得る。
【００２０】
第二情報出力部１１０７は、判断部１１０４における判断結果が第二情報を出力する旨の判断結果である場合に、第二情報受信部１１０５が受信した第二情報を出力する。第二情報出力部１１０７は、判断部１１０４における判断結果が第二情報を出力する旨の判断結果である場合に、結果として、第二情報を出力すれば良い。つまり、判断部１１０４における判断結果が第二情報を出力する旨の判断結果である場合のみ、第二情報受信部１１０５が第二情報を受信しても良い。また、第二情報受信部１１０５が第二情報を、常に受信し、判断部１１０４における判断結果が第二情報を出力する旨の判断結果である場合のみ、第二情報出力部１１０７が第二情報を出力するようにしても良い。ここで、出力とは、ディスプレイへの表示、プリンタへの印字、音出力、外部の装置への送信等を含む概念である。第二情報出力部１１０７は、ディスプレイやスピーカー等の出力デバイスを含むと考えても含まないと考えても良い。第二情報出力部１１０７は、出力デバイスのドライバーソフトまたは、出力デバイスのドライバーソフトと出力デバイス等で実現され得る。なお、第二情報出力部１１０７と第一情報出力部１１０６は、一の実現手段（同一の実現手段）でも良い。
【００２１】
第一情報格納部１２０１は、第一情報を格納している。第一情報格納部１２０１が格納している第一情報は、２以上であっても良い。第一情報格納部１２０１は、不揮発性の記録媒体が好適であるが、揮発性の記録媒体でも実現可能である。
【００２２】
第一情報近距離送信部１２０２は、近距離無線通信手段により、第一情報格納部１２０１に格納されている第一情報を送信する。第一情報近距離送信部１２０２は、プッシュ型の情報配信を行っても良いし、プル型の情報配信を行っても良い。第一情報近距離送信部１２０２は、ブルートゥース（登録商標）や、無線タグによる通信手段や、赤外線による通信手段や、その他の近距離無線通信手段により実現され得る。
【００２３】
第二情報格納部１３０１は、第二情報を格納している。第二情報格納部１３０１が格納している第二情報は、２以上であっても良い。第二情報格納部１３０１は、不揮発性の記録媒体が好適であるが、揮発性の記録媒体でも実現可能である。
第二情報送信部１３０２は、第二情報を端末装置１１に送信する。第二情報送信部１３０２は、通常、端末装置からの要求に基づいて、第二情報を送信する。
【００２４】
次に、情報処理システムを構成する端末装置１１の動作について図３、および図４のフローチャートを用いて説明する。まず、端末装置１１の動作の、第一の例について、図３のフローチャートを用いて説明する。第一の例において、ユーザの指示がなくとも、第二情報を出力するとの判断の場合に、端末装置１１は、自動的に第二情報を取得し、出力する。
【００２５】
（ステップＳ３０１）第一情報近距離受信部１１０３は、第一サーバ装置１２から、近距離無線通信手段により、第一情報を受信したか否かを判断する。第一情報を受信すればステップＳ３０２に行き、第一情報を受信しなければステップＳ３０１に戻る。
（ステップＳ３０２）判断部１１０４は、プロファイル情報格納部１１０１のプロファイル情報を取得する。
【００２６】
（ステップＳ３０３）判断部１１０４は、第一情報に関連する情報である第二情報を出力するか否かを、ステップＳ３０２で取得したプロファイル情報に基づいて判断する。例えば、プロファイル情報には、１以上のキーワードが含まれており、かかるキーワードのうち、１以上のキーワードを第一情報が含んでいれば、判断部１１０４は、第一情報に関連する情報である第二情報を出力すると判断する。また、例えば、プロファイル情報には、１以上のキーワードが含まれており、かかるキーワードのうち、全キーワードを第一情報が含んでいれば、判断部１１０４は、第一情報に関連する情報である第二情報を出力すると判断しても良い。その他、判断部１１０４が、プロファイル情報に基づいて、如何に上記の判断をするかは問わない。
【００２７】
（ステップＳ３０４）第二情報受信部１１０５は、ステップＳ３０３における判断結果が、第二情報を出力するとの判断であるか否かを判断する。第二情報を出力するとの判断であればステップＳ３０５に行き、第二情報を出力しないとの判断であればステップＳ３０８に行く。
【００２８】
（ステップＳ３０５）第二情報受信部１１０５は、第二サーバ装置１３から第二情報を取得する。本第二情報は、例えば、ステップＳ３０１で受信した第一情報が有するＵＲＬが示すホームページの情報である。また、本第二情報は、例えば、ステップＳ３０１で受信した第一情報が有する情報をキーとして検索され得る情報である。
（ステップＳ３０６）第一情報出力部１１０６は、ステップＳ３０１で受信した情報を出力する。
【００２９】
（ステップＳ３０７）第二情報出力部１１０７は、ステップＳ３０５で取得した第二情報を出力する。なお、第二情報は、例えば、第一情報に続いて出力されても良いし、第一情報とは別ウィンドウに出力されても良いし、第一情報と異なるディスプレイに表示されても良い。
【００３０】
（ステップＳ３０８）判断部１１０４は、第一情報を出力するか否か、ステップＳ３０２で取得したプロファイル情報に基づいて判断する。第一情報を出力するとの判断であればステップＳ３０９に行き、第一情報を出力するとの判断でなければステップＳ３０１に戻る。なお、ステップＳ３０８における判断と、ステップＳ３０４における判断は、その条件が異なることは好適である。通常、ステップＳ３０４における判断の条件の方が、ステップＳ３０８における判断の条件より厳しい。
【００３１】
（ステップＳ３０９）第一情報出力部１１０６は、ステップＳ３０１で受信した第一情報を出力する。かかる場合、第一情報出力部１１０６は、ステップＳ３０１で受信した第一情報を加工して、出力しても良い。かかる加工とは、例えば、第一情報から所在場所情報を削除する処理である。また、かかる加工とは、例えば、第一情報に、第二情報の存在を明示する情報を付加する処理である。なお、第二情報の存在を明示する情報とは、例えば、「本情報に対して、さらに詳細な情報を得たい場合は、以下です。ｈｔｔｐ：／／ｗｗｗ．・・・・」である。
次に、端末装置１１の動作の、第二の例について、図４のフローチャートを用いて説明する。第二の例において、ユーザの指示により、第二情報を取得し、出力する。
【００３２】
（ステップＳ４０１）第一情報近距離受信部１１０３は、第一サーバ装置１２から、近距離無線通信手段により、第一情報を受信したか否かを判断する。第一情報を受信すればステップＳ４０２に行き、第一情報を受信しなければステップＳ４０１に戻る。
（ステップＳ４０２）判断部１１０４は、プロファイル情報格納部１１０１のプロファイル情報を取得する。
（ステップＳ４０３）判断部１１０４は、第一情報に関連する情報である第二情報を出力するか否かを、ステップＳ４０２で取得したプロファイル情報に基づいて判断する。
【００３３】
（ステップＳ４０４）第二情報受信部１１０５は、ステップＳ４０３における判断結果が、第二情報を出力するとの判断であるか否かを判断する。第二情報を出力するとの判断であればステップＳ４０５に行き、第二情報を出力しないとの判断であればステップＳ４１０に行く。
（ステップＳ４０５）第一情報出力部１１０６は、ステップＳ３０１で受信した第一情報を出力する。なお、第一情報は、第二情報を取得するための第二情報の所在場所情報（例えば、ＵＲＬなど）を含む。
【００３４】
（ステップＳ４０６）指示受付部１１０２は、第二情報を取得する指示を受け付けたか否かを判断する。第二情報を取得する指示を受け付ければステップＳ４０７に行き、第二情報を取得する指示を受け付けなければステップＳ４０６に戻る。なお、本ステップにおいて、所定の時間の経過により（タイムアウトにより）、ステップＳ４０１に戻っても良い。
（ステップＳ４０７）第二情報受信部１１０５は、第二サーバ装置１３に第二情報の受信のための問い合わせを行う。
【００３５】
（ステップＳ４０８）第二情報受信部１１０５は、第二サーバ装置１３から第二情報を受信したか否かを判断する。第二情報を受信すればステップＳ４０９に行き、第二情報を受信しなければステップＳ４０８に戻る。なお、本ステップにおいて、所定の時間の経過により、ステップＳ４０１に戻っても良い。
（ステップＳ４０９）第二情報出力部１１０７は、ステップＳ４０８で受信した第二情報を出力する。
【００３６】
（ステップＳ４１０）判断部１１０４は、第一情報を出力するか否か、ステップＳ４０２で取得したプロファイル情報に基づいて判断する。第一情報を出力するとの判断であればステップＳ４１１に行き、第一情報を出力するとの判断でなければステップＳ４０１に戻る。
（ステップＳ４１１）第一情報出力部１１０６は、第一情報から第二情報の所在場所情報を消去する。
（ステップＳ４１２）第一情報出力部１１０６は、ステップＳ４１１における処理の結果の情報を出力する。
なお、図３、図４のフローチャートにおいて、第一情報、第二情報の出力態様は問わない。
また、図３、図４のフローチャートにおいて、電源オフや処理終了の割り込みにより処理は終了する。
【００３７】
また、第一サーバ装置１２の第一情報近距離送信部１２０２は、近距離無線通信手段により、第一情報格納部１２０１の第一情報を送信する。第一情報近距離送信部１２０２は、通常、定期的に、相手を特定せずに、第一情報を送信する。第一情報格納部１２０１に２以上の第一情報が格納されている場合、第一情報近距離送信部１２０２は、例えば、順次、相手を特定せずに、２以上の第一情報を送信する。
さらに、第二サーバ装置１３の第二情報送信部１３０２は、通常、取得要求のあった端末装置１１に第二情報を送信する。
以下、本実施の形態における情報処理システムの具体的な動作について説明する。情報処理システムの概念図は図１である。
【００３８】
また、図５は、プロファイル情報格納部１１０１のプロファイル情報の例である。プロファイル情報は、ここでは、端末装置１１のユーザの嗜好を示すキーワードの集合である。なお、プロファイル情報は、ユーザの年齢や、住所や、所属などの情報でも良い。つまり、プロファイル情報のデータ構造や内容は、種々考えられる。また、プロファイル情報の入力手段は問わない。プロファイル情報は、ユーザが、手入力しても良い。また、プロファイル情報は、着脱可能な記録媒体に蓄積されている情報であり、端末装置１１に当該記録媒体を装着しても良い。
【００３９】
また、図６は、第一サーバ装置１２の第一情報格納部１２０１が保持している第一情報管理表である。第一情報管理表は、「ＩＤ」「第一情報」を有するレコードを１以上保持している。「ＩＤ」は、レコードを識別する情報であり、表におけるレコード管理のために存在する。「第一情報」は、ユーザに知らせるための情報であり、例えば、広告情報である。また、「第一情報」は、ユーザへの教育サービスを行うための教育の情報等でも良い。
かかる場合、第一サーバ装置１２は、図６の第一情報を順次、近距離無線通信手段により、送信している、とする。
そして、ユーザは、端末装置１１を保持しながら、第一サーバ装置１２の前を通りかかる、とする。
【００４０】
そして、例えば、端末装置１１の第一情報近距離受信部１１０３は、図６の「ＩＤ＝１」の第一情報「ラーメン屋ＡＢＣは、塩ラーメン・・・・。ｈｔｔｐ：／／ｗｗｗ．ＡＢＣ．ｎｅ．ｊｐ」を受信した、とする。なお、本第一情報は、所在場所情報「ＵＲＬ」を含む。
【００４１】
次に、端末装置１１の判断部１１０４は、図５のプロファイル情報が有する１以上のキーワードを、図６の「ＩＤ＝１」の第一情報が含むか否かを判断する。ここで、図６の「ＩＤ＝１」の第一情報は、プロファイル情報のキーワード「ラーメン」を含むので、第二情報を取得する、と判断する。そして、端末装置１１の第一情報出力部１１０６は、ＵＲＬを削除しないで、そのまま第一情報「ラーメン屋ＡＢＣは、塩ラーメン・・・・。ｈｔｔｐ：／／ｗｗｗ．ＡＢＣ．ｎｅ．ｊｐ」を出力する。かかる第一情報の出力の態様は、図７である。
【００４２】
次に、例えば、ユーザは、図７の画面から、ＵＲＬ「ｈｔｔｐ：／／ｗｗｗ．ＡＢＣ．ｎｅ．ｊｐ」を指示したとする。かかる指示は、例えば、図７の画面上のＵＲＬ「ｈｔｔｐ：／／ｗｗｗ．ＡＢＣ．ｎｅ．ｊｐ」にフォーカスを持って行き、「決定」ボタンを押下することである。
そして、端末装置１１の第二情報受信部１１０５は、ＵＲＬ「ｈｔｔｐ：／／ｗｗｗ．ＡＢＣ．ｎｅ．ｊｐ」に対応するホームページを第二サーバ装置１３から受信し、図８に示す画面のように出力する。
【００４３】
なお、上記例によれば、ユーザの指示を受け付けることにより、第二情報を取得したが、判断部１１０４が第二情報を取得するとの判断を行った場合に、自動的に第二情報を取得し、第一情報とともに出力することは好適である。かかる場合、端末装置１１が第一サーバ装置１２に近づいて、第一情報を受信すると、自動的に、第二情報受信部１１０５は、第二情報を第二サーバ装置１３から取得し、図９に示すように、第一情報出力部１１０６、および第二情報出力部１１０７は、それぞれ第一情報、および第二情報を出力する。
【００４４】
次に、まだ、端末装置１１は、第一サーバ装置１２の近くに存在する、とする。そして、端末装置１１の第一情報近距離受信部１１０３は、図６の「ＩＤ＝２」の第一情報「和菓子のＸＹＺは、大福でおなじみ・・・・。「和菓子」「大福」」を受信する。なお、「ＩＤ＝２」の第一情報は、文章情報「和菓子のＸＹＺは、大福でおなじみ・・・・。」と、キーワードを示す情報であるキーワード情報「「和菓子」「大福」」を含む。キーワードを示す情報は、検索エンジンに渡されるキーワードである。
【００４５】
次に、端末装置１１の判断部１１０４は、図５のプロファイル情報が有する１以上のキーワードを、図６の「ＩＤ＝２」の第一情報が含むか否かを判断する。ここで、図６の「ＩＤ＝２」の第一情報は、プロファイル情報のキーワード「菓子」を含むので、第二情報を取得する、と判断する。そして、端末装置１１の第一情報出力部１１０６は、第一情報「和菓子のＸＹＺは、大福でおなじみ・・・・。「和菓子」「大福」」のうちの文章情報「和菓子のＸＹＺは、大福でおなじみ・・・・。」を出力する。そして、第一情報出力部１１０６は、第一情報のキーワード情報「「和菓子」「大福」」をキーワードとして、検索エンジンのアプリケーション画面を出力する（図１０参照）。
そして、次に、端末装置１１のユーザは、図１０の検索画面の「検索」ボタンを押下する、とする。
【００４６】
次に、端末装置１１は、「「和菓子」「大福」」をキーワードとして、検索エンジンを動作させる。なお、検索エンジンは公知技術であるので、詳細な説明を省略する。なお、検索エンジンは、第二サーバ装置１３が保持している。
【００４７】
次に、端末装置１１は、検索エンジンの処理結果を第二サーバ装置１３から取得し、図１１に示すように表示する。そして、ユーザは、検索結果のうちの好きな情報の先のホームページにジャンプし、欲しい情報を取得できる。
【００４８】
次に、まだ、端末装置１１は、第一サーバ装置１２の近くに存在する、とする。そして、端末装置１１の第一情報近距離受信部１１０３は、図６の「ＩＤ＝３」の第一情報「アニメＣＣＣのＤＶＤ発売。・・・・」を受信する。
【００４９】
次に、端末装置１１の判断部１１０４は、図５のプロファイル情報が有する１以上のキーワードを、図６の「ＩＤ＝３」の第一情報が含むか否かを判断する。ここで、図６の「ＩＤ＝３」の第一情報は、プロファイル情報のキーワードを全く含まないので、第二情報を取得しない、と判断する。
【００５０】
また、端末装置１１の判断部１１０４は、図６の「ＩＤ＝３」の第一情報は、プロファイル情報のキーワードを全く含まないので、第一情報をも出力しない、と判断する。そして、端末装置１１は、図示しない手段により、受信した「ＩＤ＝３」の第一情報を削除する。
【００５１】
以上、本実施の形態によれば、プロファイル情報に応じて、第一の通信手段（近距離無線通信手段）と、第二の通信手段（近距離無線通信手段ではない）を利用して情報を取得、出力できる。つまり、プロファイル情報に基づいて、２種類以上の通信手段の特性を利用した有効な情報取得ができる。
【００５２】
なお、本実施の形態によれば、第一情報を取得する第一の通信手段は近距離無線通信手段であり、第二情報を取得する第二の通信手段は近距離無線通信手段ではない、比較的多量の情報を送受信できる通信手段であった。しかし、本実施の形態において、第一の通信手段と第二の通信手段の種類は限らない。プロファイル情報に基づいて、２種類以上の通信手段の特性を利用した有効な情報取得ができれば良い。
【００５３】
さらに、本実施の形態における情報処理システムの各装置の処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。なお、本実施の形態における端末装置を実現するソフトウェアは、以下のようなプログラムである。つまり、このプログラムは、コンピュータに、第一サーバ装置から、近距離無線通信手段により、第一情報を受信する第一情報近距離受信ステップと、前記第一情報に関連する情報である第二情報を出力するか否かを、格納しているプロファイル情報に基づいて判断する判断ステップと、第二サーバ装置から前記第二情報を受信する第二情報受信ステップと、前記第一情報受信ステップで受信した情報を出力する第一情報出力ステップと、前記判断ステップにおける判断結果が第二情報を出力する旨の判断結果である場合に、前記第二情報受信ステップで受信した前記第二情報を出力する第二情報出力ステップを実行させるためのプログラム、である。
【００５４】
また、上記プログラムにおいて、前記第一情報は、前記第二情報の所在場所を示す情報である所在場所情報を含み、前記第一情報出力ステップにおいて、前記判断ステップにおける判断結果が第二情報を出力する旨の判断結果である場合にのみ、前記所在場所情報を出力するプログラムでも良い。
【００５５】
また、上記プログラムは、コンピュータに、ユーザの指示を受け付ける指示受付ステップをさらに実行させ、前記指示受付ステップで前記指示を受け付けた場合に、前記第二情報受信ステップにおいて、前記第二サーバ装置から前記第二情報を取得する処理を行い、当該第二情報を受信するプログラムでも良い。
【００５６】
また、上記プログラムの前記判断ステップにおいて、第一情報を出力するか否かをも、前記プロファイル情報に基づいて判断し、前記第一情報出力ステップにおいて、前記判断ステップにおける判断結果が第一情報を出力する旨の判断結果である場合にのみ、前記第一情報を出力するプログラムでも良い。
【００５７】
また、上記各実施の形態において、各処理（各機能）は、単一の装置（システム）によって集中処理されることによって実現されてもよく、あるいは、複数の装置によって分散処理されることによって実現されてもよい。
【００５８】
なお、上記プログラムにおいて、情報を送信する送信ステップや、情報を受信する受信ステップなどでは、ハードウェアによって行われる処理、例えば、送信ステップにおけるモデムやインターフェースカードなどで行われる処理（ハードウェアでしか行われない処理）は含まれない。
また、上記プログラムを実行するコンピュータは、単数であってもよく、複数であってもよい。すなわち、集中処理を行ってもよく、あるいは分散処理を行ってもよい。
また、上記各実施の形態において、一の装置に存在する２以上の通信手段（情報送信部など）は、物理的に一の媒体で実現されても良いことは言うまでもない。
本発明は、以上の実施の形態に限定されることなく、種々の変更が可能であり、それらも本発明の範囲内に包含されるものであることは言うまでもない。
【産業上の利用可能性】
【００５９】
以上のように、本発明にかかる情報処理システムは、２種類以上の通信手段の特性を利用した有効な情報取得ができる、という効果を有し、情報を取得するシステム等として有用である。
【図面の簡単な説明】
【００６０】
【図１】実施の形態１における情報処理システムの概念図を示す図
【図２】同における情報処理のブロック図
【図３】同端末装置の動作について説明するフローチャート
【図４】同端末装置の動作について説明するフローチャート
【図５】同プロファイル情報の例を示す図
【図６】同第一情報管理表を示す図
【図７】同情報の出力例を示す図
【図８】同情報の出力例を示す図
【図９】同情報の出力例を示す図
【図１０】同情報の出力例を示す図
【図１１】同情報の出力例を示す図
【符号の説明】
【００６１】
１１  端末装置
１２  第一サーバ装置
１３  第二サーバ装置
１１０１  プロファイル情報格納部
１１０２  指示受付部
１１０３  第一情報近距離受信部
１１０４  判断部
１１０５  第二情報受信部
１１０６  第一情報出力部
１１０７  第二情報出力部
１２０１  第一情報格納部
１２０２  第一情報近距離送信部
１３０１  第二情報格納部
１３０２  第二情報送信部
【図１】
2006277175.tif 000003
【図２】
2006277175.tif 000004
【図３】
2006277175.tif 000005
【図４】
2006277175.tif 000006
【図５】
2006277175.tif 000007
【図６】
2006277175.tif 000008
【図７】
2006277175.tif 000009
【図８】
2006277175.tif 000010
【図９】
2006277175.tif 000011
【図１０】
2006277175.tif 000012
【図１１】
2006277175.tif 000013